【事件の表示】
　特願２００１−１９５６１５「エレベーターのトランク付かご室及びそのかご室を備えたエレベーター」拒絶査定不服審判事件〔平成１５年　１月１５日出願公開、特開２００３−　１２２５３〕について、次のとおり審決する。
【結　論】
　本件審判の請求は、成り立たない。
【理　由】
第１．手続の経緯
　本願は、平成１３年６月２８日の出願であって、平成１６年１月３０日付けで拒絶査定がなされ、平成１６年３月４日に拒絶査定に対する審判請求がされるとともに、平成１６年３月１２日付けで手続補正がなされたものである。　
　
第２．平成１６年３月１２日付けの手続補正についての補正却下の決定　
［補正却下の決定の結論］　
　平成１６年３月１２日付けの手続補正を却下する。　
　
［理由］　
１．補正後の本願発明　
　平成１６年３月１２日付けの手続補正（以下、「本件補正」という。）により、本願の明細書における特許請求の範囲の請求項１は、　
　「【請求項１】　エレベーターのかご室と、前記かご室の奥部に設けられた箱型のトランク部から構成されるエレベーターのトランク付かご室において、　
　前記かご室の側面縁部に回動可能に設けられた前記トランク部を閉鎖する前扉に、少なくとも成人用自転車の車輪の直径を考慮した高さを有して前記車輪を床から浮かした状態で収納することができる収納部を設け、前記収納部が、前記前扉の背面板上に設けた挿入溝に挿入されることにより着脱自在に支持されていることを特徴とするエレベーターのトランク付かご室。」　
と補正された。　
　これは、本件補正前（平成１５年１２月２２日付けの手続補正）の請求項１に記載した発明を特定する事項である「少なくとも成人用自転車の車輪を収容することができる収納部」なる事項を、「少なくとも成人用自転車の車輪の直径を考慮した高さを有して前記車輪を床から浮かした状態で収納することができる収納部」なる事項に限定するものである。　
　よって、平成１４年改正前特許法第１７条の２第４項第２号の特許請求の範囲の減縮を目的とするものに該当する。
　そこで、本件補正後の前記請求項１に係る発明（以下「本願補正発明」という。）が、特許出願の際に独立して特許を受けることができるものであるかについて、以下に検討する。
　
２．引用文献記載の発明　
（１）原査定の拒絶の理由に引用された、本願出願日前に頒布された刊行物である実願平２−８２７４６号（実開平４−４００８４号）のマイクロフィルム（以下、「引用文献」という。）には、次の事項が図面とともに記載されている。　
　
　ア．「〔課題を解決するための手段〕　
　上記目的を達成するために、担架及び棺の運搬押入可能なトランクを有するトランク付エレベータのかご室において、上記トランクに設ける扉に対し、扉の表面の一定面積を開口しトランク内部よりトランク扉にボツクスを設け、かつこのボツクスはトランク扉オープン時容易に取り外せるようにしたものである。」（明細書３ページ６ないし１３行）　
　
　イ．「〔作用〕　
　トランク扉の表面の一定面積を開口し、自転車などの車輪の一部がこの開口部に入るようにする。それによつて、エレベータで自転車などを運搬する場合に、トランク扉を開けなくとも良い構造となる。　
　又、トランク扉の開口部には、トランク内部側にボツクスを設けるが、トランク扉を開けた場合内部より簡単に取り外せる構造とする。それによつて担架及び棺などを運搬する場合においても支障がない。」（明細書３ページ１４行ないし４ページ４行）　
　
　ウ．「〔実施例〕　
　以下、本考案の一実施例を図に基づき説明する。　
　第１図は本考案のトランク付エレベータのかご室の一実施例を示す立体図、第２図は第１図の側面図である。　
　エレベータのかご１に取付けたトランク５は、担架及び棺などを運搬する場合にトランク扉７を開け使用する住宅用のエレベータである。上記のトランク扉７には特殊かぎ（図示せず）が取付けてあり、一般の利用の場合施鍵しておく。トランク扉７にボツクス６を設ける。このことにより、日常よく利用する自転車９などの運搬時に、自転車９の車輪がボツクス６内に入り、トランク扉７を開けなくともエレベータを利用できる。　
　第２図に本考案の利用状況を示す。トランク５に取付けたトランク扉７にボツクス６を取付ける。自転車９乗り込み時、自転車９の車輪がボツクス６に入り、扉２に車輪が当らず楽に運搬できる。又、、担架及び棺（図示せず）を運搬する時には、トランク扉７を開く。この場合ボツクス６はかご１の内部スペースを狭くし、担架及び棺の運搬に支障をきたす。そこでボツクス６はトランク扉７に蝶ネジ（図示せず）などで固定すれば、簡単にボツクス６を取り外せ、担架及び棺の運搬に支障をきたさない。」（明細書４ページ５行ないし５ページ９行。「又、、」は「又、」の誤記。）　
　
　エ．「４．図面の簡単な説明　
　第１図は本考案のトランク付エレベータのかご室の一実施例を示す立体図、第２図は第１図の側面図、第３図は従来のトランク付エレベータの側面図である。
  １……エレベータかご、２……かご扉、５……トランク、６……ボツクス、７……トランク扉、９……自転車。」（明細書６ページ２ないし９行）　
　
　オ．第１図には、箱型の立体と認められる１の一面に２が存在し、この２が存在する一面に対向する他面に、箱型の立体と認められる５が存在することが図示されている。
　また、第２図には、１の一側に２が存在し、この２が存在する一側に対向する他側に、５が存在することが図示されている。　
　
（２）ここで、上記記載事項（１）ア．ないしオ．から、次のことがわかる。　
　
　ア．上記記載事項（１）ア．の「担架及び棺の運搬押入可能なトランクを有するトランク付エレベータのかご室において、」という記載、上記記載事項（１）エ．、並びに上記記載事項（１）オ．からみて、トランク５はエレベータかご１の奥部に設けられているといえる。　
　
　したがって、エレベータのかご１と、前記エレベータのかご１の奥部に設けられた箱型のトランク５から構成されるトランク付エレベータのかご室であることがわかる。
　
　イ．上記記載事項（１）ウ．には、「エレベータのかご１に取付けたトランク５は、担架及び棺などを運搬する場合にトランク扉７を開け使用する住宅用のエレベータである。上記のトランク扉７には特殊かぎ（図示せず）が取付けてあり、一般の利用の場合施鍵しておく。」と記載されている。　
　
　したがって、トランク扉７が、エレベータのかご１に取付けたトランク５を閉鎖するものであることがわかる。　
　
　ウ．上記記載事項（１）ウ．には、「トランク扉７にボツクス６を設ける。このことにより、日常よく利用する自転車９などの運搬時に、自転車９の車輪がボツクス６内に入り、トランク扉７を開けなくともエレベータを利用できる。　
　第２図に本考案の利用状況を示す。トランク５に取付けたトランク扉７にボツクス６を取付ける。自転車９乗り込み時、自転車９の車輪がボツクス６に入り、扉２に車輪が当らず楽に運搬できる。」と記載されている。
　
　したがって、トランク扉７に、自転車９の車輪が入るボツクス６を設けていることがわかる。
　
　エ．上記記載事項（１）ア．には、「上記トランクに設ける扉に対し、扉の表面の一定面積を開口しトランク内部よりトランク扉にボツクスを設け、かつこのボツクスはトランク扉オープン時容易に取り外せるようにしたものである」と記載され、上記記載事項（１）イ．には、「又、トランク扉の開口部には、トランク内部側にボツクスを設けるが、トランク扉を開けた場合内部より簡単に取り外せる構造とする。」と記載され、上記記載事項（１）ウ．には、「そこでボツクス６はトランク扉７に蝶ネジ（図示せず）などで固定すれば、簡単にボツクス６を取り外せ、担架及び棺の運搬に支障をきたさない。」と記載されている。　
　
　したがって、ボツクス６が、トランク扉７のトランク５内部側に取り外せるように設けられていることがわかる。　
　
（３）引用文献記載の発明　
　上記記載事項（２）ア．ないしエ．から、引用文献には次の発明が記載されていると認められる。　
　
「エレベータのかご１と、前記エレベータのかご１の奥部に設けられた箱型のトランク５から構成されるトランク付エレベータのかご室において、　
　前記エレベータのかご１に取付けた前記トランク５を閉鎖するトランク扉７に、自転車９の車輪が入るボツクス６を設け、前記ボツクス６が、トランク扉７のトランク５内部側に取り外せるように設けられているトランク付エレベータのかご室」　
　
３．対比　
　本願補正発明と引用文献記載の発明とを対比すると、引用文献記載の発明の「エレベータのかご１」、「トランク５」、「トランク扉７」、「ボツクス６」及び「トランク付エレベータのかご室」は、それぞれ、本願補正発明における「エレベーターのかご室」、「トランク部」、「前扉」、「収納部」及び「エレベーターのトランク付かご室」に相当する。　
　引用文献記載の発明の「自転車９の車輪が入るボツクス６」は、自転車の車輪が入る部材である限りにおいて本願補正発明の「少なくとも成人用自転車の車輪の直径を考慮した高さを有して前記車輪を床から浮かした状態で収納することができる収納部」に相当する。
　また、引用文献記載の発明の「トランク扉７のトランク５内部側に取り外せるように設けられている」は、前扉のトランク部内部側に着脱自在に支持されている限りにおいて本願補正発明の「前記前扉の背面板上に設けた挿入溝に挿入されることにより着脱自在に支持されている」に相当する。
　
　してみると、両者は、　
「エレベーターのかご室と、前記かご室の奥部に設けられた箱型のトランク部から構成されるエレベーターのトランク付かご室において、　
　前記かご室に設けられた前記トランク部を閉鎖する前扉に、自転車の車輪が入る部材を設け、前記部材が、前記前扉のトランク部内部側に着脱自在に支持されていることを特徴とするエレベーターのトランク付かご室」の点で一致し、以下の点で相違する。　
　
（１）相違点１
　「トランク部を閉鎖する前扉」について、本願補正発明においては、「前記かご室の側面縁部に回動可能に設けられた」ものであるのに対し、引用文献記載の発明においては、そのような構成がない点。
　
（２）相違点２　
　「自転車の車輪が入る部材」について、本願補正発明においては、「少なくとも成人用自転車の車輪の直径を考慮した高さを有して前記車輪を床から浮かした状態で収納することができる収納部」であるのに対し、引用文献記載の発明では「自転車９の車輪が入るボツクス６」である点。
　
（３）相違点３　
　「前記部材が、前扉のトランク部内部側に着脱自在に支持されている」について、本願補正発明においては、「前記収納部が、前記前扉の背面板上に設けた挿入溝に挿入されることにより着脱自在に支持されている」のに対し、引用文献記載の発明においては、「前記ボツクス６が、トランク扉７のトランク５内部側に取り外せるように設けられている」点。
　
４．判断　
　上記相違点について検討する。　
　
（１）相違点１について  
　「前記かご室の側面縁部に回動可能に設けられた前記トランク部を閉鎖する前扉」は、例えば、実願昭５３−１３０４４１号（実開昭５５−４６４８１号）のマイクロフィルム（明細書２ページ２ないし１７行、明細書４ページ９ないし１２行、第１図ないし第４図、第６図、第７図）、特開平６−２７１２５４号公報（段落０００８、図１ないし図４）に記載されているように、周知（以下、「周知技術」という。）である。
　したがって、引用文献記載の発明において周知技術を適用し、上記相違点１に係る本願発明のような構成とすることは、当業者が容易になし得た程度の事項である。
　
（２）相違点２について　
　自転車の車輪を入れることを目的としている以上、子供用自転車に比較して寸法が大きい成人用自転車の車輪の直径を考慮して、車輪を入れる部材の高さを決定することは当然である。
　また、車輪を床から浮かした状態で収納することは、車輪を入れる部材の前扉への取付け方や車輪を入れる部分の構造によってなされることであって、この車輪を入れる部材の前扉への取付け方や車輪を入れる部分の構造は、かご室内スペースに係る問題の解決（引用文献明細書２ページ９ないし１２行参照）等、エレベーター利用者の利便性に係る問題を勘案し、かご室の寸法、かご室を構成する床や前扉といった各部材との関係等を検討した上で決定されることである。
　したがって、上記相違点２に係る本願発明のような構成とすることは、引用文献記載の発明における設計事項である。　
　
（３）相違点３について　
　物品を支持する際、物品の一部を挿入溝に挿入することで物品を着脱自在に支持することは慣用技術である。　
　したがって、引用文献記載の発明において前記慣用技術を適用し、その際、挿入溝を収納部に相対する前扉の背面板上に設け、上記相違点３に係る本願発明のような構成とすることは、当業者が容易になし得た程度の事項である。
　
　また、本願補正発明を全体として検討しても、引用文献記載の発明、上記周知技術、上記慣用技術から予測される以上の格別の効果を奏するとも認められない。　
　
　以上から、本願補正発明は、引用文献記載の発明、上記周知技術、上記慣用技術に基づいて、当業者が容易に発明をすることができたものであるから、特許法第２９条第２項の規定により特許出願の際に独立して特許を受けることができないものである。　
　
５．むすび　
　以上のとおり、本件補正は、平成１４年改正前の特許法第１７条の２第５項で準用する同法第１２６条第５項の規定に違反するものであり、第１５９条第１項で準用する同法第５３条第１項の規定により却下すべきものである。　
　
第３．本願発明について　
１．以上のとおり、平成１６年３月１２日付けの手続補正は却下されたため、本願の請求項１に係る発明は、平成１５年１２月２２日付けの手続補正書により補正された明細書、及び出願当初の明細書及び図面の記載からみて、その明細書の特許請求の範囲の請求項１に記載された事項により特定されるとおりのものと認められるところ、その請求項１に係る発明（以下「本願発明」という）は、次のとおりである。　
　
「【請求項１】　エレベーターのかご室と、前記かご室の奥部に設けられた
箱型のトランク部から構成されるエレベーターのトランク付かご室において、
　前記かご室の側面縁部に回動可能に設けられた前記トランク部を閉鎖する前扉に、少なくとも成人用自転車の車輪を収容することができる収納部を設け、前記収納部が、前記前扉の背面板上に設けた挿入溝に挿入されることにより着脱自在に支持されていることを特徴とするエレベーターのトランク付かご室。」
　
２．引用文献記載の発明　
　引用文献には、上記第２の２．のとおりのものが記載されている。
　
３．対比、判断　
　本願補正発明は、本願発明をさらに限定するものであることから、本願補正発明が、上記のとおり、引用文献記載の発明、上記周知技術、上記慣用技術に基づいて、当業者が容易に発明をすることができたものであるから、本願発明も、同様の理由により、当業者が容易に発明をすることができたものである。　
　
４．むすび　
　以上のとおり、本願発明は、特許法第２９条第２項の規定により特許を受けることができない。
　よって、結論のとおり審決する。